(57)【要約】【課題】ランプが接続されていない場合に点灯装置の動作を確実に停止することにより、出力電圧の上昇によるランプや点灯装置の故障や寿命短縮を防ぐ。【解決手段】ソケット１２（ランプ接続部）は、ランプ９０を接続する。本体１１に内蔵された点灯装置は、ソケット１２に接続したランプ９０に対して、ランプ９０を点灯する電力を供給する。ランプ保持部１３は、保持状態と解放状態とを有する。保持状態において、ランプ保持部１３は、ランプ９０を着脱不能に保持する。解放状態において、ランプ保持部１３は、ランプ９０を着脱可能にする。点灯装置は、ランプ保持部１３が保持状態である場合に動作し、ランプ保持部１３が解放状態である場合に動作を停止する。【選択図】図１
2013247032.tif 000002
【特許請求の範囲】
【請求項１】
ランプを接続するランプ接続部と、
上記ランプ接続部に接続したランプに対して、上記ランプを点灯する電力を供給する点灯装置と、
上記ランプ接続部に接続したランプを着脱不能に保持する保持状態と、上記ランプ接続部に上記ランプを着脱可能にする解放状態とを有するランプ保持部と
を有し、
上記点灯装置は、上記ランプ保持部が保持状態である場合に動作し、上記ランプ保持部が解放状態である場合に動作を停止する
ことを特徴とする照明器具。
【請求項２】
上記点灯装置は、上記ランプ保持部が保持状態であり、かつ、上記ランプ接続部に上記ランプが接続されている場合に動作し、上記ランプ保持部が解放状態である場合、および、上記ランプ接続部に上記ランプが接続されていない場合に、動作を停止する
ことを特徴とする請求項１に記載の照明器具。
【請求項３】
上記ランプ保持部は、可動する可動部と、上記可動部の位置を検出する検出部とを有し、
上記点灯装置は、上記検出部が検出した上記可動部の位置に基づいて、上記ランプ保持部が保持状態であるか解放状態であるかを判定する
ことを特徴とする請求項１または請求項２に記載の照明器具。
【請求項４】
上記ランプは、直管形状であり、一端に上記ランプ接続部と接続して上記点灯装置から供給される電力を入力する端子部を有し、
上記ランプ保持部は、上記ランプの長手方向中央よりも上記端子部から遠い位置で、上記ランプを保持する
ことを特徴とする請求項１乃至請求項３のいずれかに記載の照明器具。
【請求項５】
上記ランプ接続部は、上記ランプを回転させることにより上記ランプを着脱する構造を有し、
上記ランプ保持部は、保持状態において、上記ランプを回転不能に保持する
ことを特徴とする請求項１乃至請求項３のいずれかに記載の照明器具。
【発明の詳細な説明】
【技術分野】
【０００１】
この発明は、ランプを着脱可能な照明器具に関する。
【背景技術】
【０００２】
ＬＥＤなどの光源を有するランプ（光源装置）を接続して点灯する照明器具がある。ＬＥＤなどの光源を点灯する照明器具の点灯装置には、出力電流が所定の目標電流に一致するように動作（定電流動作）するものがある。
ランプが接続されていない状態で、点灯装置が定電流動作すると、出力電流を目標電流に一致させようとして、出力電圧が異常に高くなる場合がある。
このため、ランプが電気的に接続しているか否かを検出し、ランプが接続していない場合には、点灯装置の動作を停止する技術がある。ランプを接続して点灯している状態で、ランプを外すと、ランプが接続していないことが検出され、点灯装置が動作を停止する。
【先行技術文献】
【特許文献】
【０００３】
【特許文献１】特開２０１０−１９２２２９号公報
【特許文献２】特開２０１０−５５８２４号公報
【発明の概要】
【発明が解決しようとする課題】
【０００４】
点灯装置の出力段に平滑コンデンサが接続されている場合、ランプが外されてから点灯装置が動作を停止するまでの間に、平滑コンデンサが充電され、点灯装置の出力電圧が上昇する場合がある。その後、ある程度の時間が経てば、平滑コンデンサが放電して出力電圧が下がるが、すぐにランプが再接続されると、上昇した出力電圧がランプに印加され、過電流が流れることにより、ランプや点灯装置の故障や寿命短縮を招く場合がある。
【０００５】
この発明は、例えば、ランプが接続されていない場合に点灯装置の動作を確実に停止することにより、出力電圧の上昇によるランプや点灯装置の故障や寿命短縮を防ぐことを目的とする。
【課題を解決するための手段】
【０００６】
この発明にかかる照明器具は、ランプを接続するランプ接続部と、上記ランプ接続部に接続したランプに対して、上記ランプを点灯する電力を供給する点灯装置と、上記ランプ接続部に接続したランプを着脱不能に保持する保持状態と、上記ランプ接続部に上記ランプを着脱可能にする解放状態とを有するランプ保持部とを有し、上記点灯装置は、上記ランプ保持部が保持状態である場合に動作し、上記ランプ保持部が解放状態である場合に動作を停止することを特徴とする。
【発明の効果】
【０００７】
この発明にかかる照明器具によれば、ランプが接続されていない場合に点灯装置の動作を確実に停止することにより、出力電圧の上昇によるランプや点灯装置の故障や寿命短縮を防ぐことができる。
【図面の簡単な説明】
【０００８】
【図１】実施の形態１における照明器具１０の外観を示す斜視図。
【図２】実施の形態１における照明器具１０のランプ９０交換時を示す斜視図。
【図３】実施の形態１におけるランプ保持部１３の構造を示す正視断面図。
【図４】実施の形態１におけるランプ保持部１３の保持状態を示す正視断面図。
【図５】実施の形態１における照明器具１０及びランプ９０の回路構成を示す回路図。
【図６】実施の形態１における照明器具１０の動作を示すフロー図。
【図７】実施の形態２におけるランプ保持部１３の構造を示す側面視断面図。
【図８】実施の形態３におけるランプ９０の構造を示す正視図。
【図９】実施の形態３におけるソケット１２の構造を示す正視図。
【図１０】実施の形態３における回転部２４の構造を示す正視図。
【図１１】実施の形態３におけるソケット本体２１の構造を示す正視図及び断面図。
【図１２】実施の形態３におけるランプ保持部１３の構造を示す正視図。
【図１３】実施の形態３におけるソケット１２の動きを示す図。
【図１４】実施の形態４におけるソケット１２及びランプ保持部１３の構造を示す正視断面図。
【図１５】実施の形態４におけるソケット１２及びランプ保持部１３の構造を示す正視断面図。
【発明を実施するための形態】
【０００９】
実施の形態１．
実施の形態１について、図１〜図６を用いて説明する。
【００１０】
図１は、この実施の形態における照明器具１０の外観を示す斜視図である。
【００１１】
照明器具１０は、交換可能なランプ９０を取り付けて使用する。照明器具１０は、例えば、本体１１と、ソケット１２と、ランプ保持部１３とを有する。本体１１は、例えば点灯装置などを内蔵する。ソケット１２（ランプ接続部）は、ランプ９０を着脱可能に固定する。ランプ保持部１３は、ランプ９０を保持する。
【００１２】
この例において、ランプ９０は、直管形状である。ソケット１２は、２つあり、ランプ９０の両端に設けられた口金と係合する。２つのソケット１２のうちの１つは、ランプ９０に対して電力を供給する給電端子を有する。給電端子は、ランプ９０の軸方向に移動可能であり、例えばバネなどの弾性体によって、ランプ９０の口金ピン（端子部）に押し当てられる。ランプ保持部１３は、Ｕ字状であり、ランプ９０の中央に設けられた発光部を保持する。ランプ保持部１３は、ランプ９０の長手方向中央よりも、給電端子を有するソケット１２から遠い側に設けられている。
【００１３】
図２は、この実施の形態における照明器具１０のランプ９０交換時を示す斜視図である。
【００１４】
例えば、ランプ保持部１３は、上下方向に摺動可能に設けられている。また、ランプ保持部１３には、摺動を制限するロック機構が設けられている。
ランプ保持部１３を取り外す際には、まず、ランプ保持部１３のロック機構を解除して、ランプ保持部１３を下方向へスライドさせる（解放状態）。これにより、この図に示したようにランプ９０を動かせる空間ができる。その後、給電端子のあるソケット１２のほうへランプ９０を押し込むことにより、反対側のソケット１２とランプ９０の口金との係合を解除して、ランプ９０を取り外す。
ランプ保持部１３を取り付ける際には、この図の位置にあるランプ保持部１３にランプ９０を通し、給電端子のあるソケット１２とランプ９０の口金とを係合させる。次に、給電端子のあるソケット１２のほうへランプ９０を押し込み、反対側のソケット１２とランプ９０の口金とを係合させる。その後、ランプ保持部１３を上方向へスライドさせ、図１の位置にする。ロック機構が働いて、ランプ保持部１３の摺動が制限される（保持状態）。これにより、ロック機構を解除しなければ、ランプ９０を取り外すことができなくなる。なお、ロック機構は、自動的にセットされる構造であってもよいし、手動でセットする構造であってもよい。
【００１５】
図３は、この実施の形態におけるランプ保持部１３の構造を示す正視断面図である。
【００１６】
本体１１には、例えば、３つのスリット１１２〜１１４が設けられている。また、本体１１の内側には、スイッチ１４が設けられている。スイッチ１４は、例えば、スイッチ本体４１と、押しボタン４２とを有する。スイッチ本体４１は、本体１１に固定されている。スイッチ１４は、押しボタン４２を押し込むことにより、導通する。
【００１７】
ランプ保持部１３（光源検知部）は、例えば、摺動部３１と、係止部３２とを有する。
摺動部３１は、例えば略Ｕ字形に折り曲げた板状である。摺動部３１は、例えば、胴部３１１と、２つの腕部３１２，３１３とを有する。それぞれの腕部３１２，３１３は、２つの抜止部３１４，３１５と、２つの肩部３１６，３１７とを有する。
係止部３２は、例えば、係止板部３２１と、操作部３２４とを有する。係止板部３２１は、例えば長方形板状である。係止板部３２１は、２つのスリット３２２，３２３を有する。操作部３２４は、スリット１１４を貫通して、本体１１の外部に露出している。係止板部３２１には、図示していないバネなどの弾性体により、矢印３２８の方向に力が加えられている。
【００１８】
胴部３１１は、半円筒側面形状である。２つの腕部３１２，３１３は、胴部３１１の左右に面対称に設けられている。腕部３１２は、スリット１１２，３２２に挿通されている。腕部３１３は、スリット１１３，３２３に挿通されている。抜止部３１４，３１５は、腕部３１２，３１３それぞれの先端に設けられている。抜止部３１４，３１５は、腕部３１２，３１３がスリット１１２，１１３，３２２，３２３から抜け落ちるのを防ぐ。肩部３１６，３１７は、腕部３１２，３１３の中ほどに設けられている。腕部３１２，３１３は、肩部３１６，３１７から先の部分の幅が広く、肩部３１６，３１７よりも胴部３１１寄りの部分の幅が狭くなっている。
【００１９】
図４は、この実施の形態におけるランプ保持部１３の保持状態を示す正視断面図である。
【００２０】
肩部３１６，３１７が、スリット１１２，１１３，３２２，３２３より上になるまで、摺動部３１を上方向へスライドさせると、係止部３２が矢印３２８の方向へ移動する。これにより、スリット１１２，１１３の位置と、スリット３２２，３２３の位置とがずれる。肩部３１６が本体１１に、肩部３１７が係止板部３２１に、それぞれ引っかかり、摺動部３１を下方向へスライドさせることができなくなる。係止板部３２１の端が押しボタン４２を押し込み、スイッチ１４が導通する。
ロック状態を解除するには、操作部３２４を操作して、スリット１１２，１１３の位置と、スリット３２２，３２３の位置とを合わせる。これにより、摺動部３１を下方向へスライドさせることができるようになる。
【００２１】
図５は、この実施の形態における照明器具１０及びランプ９０の回路構成を示す回路図である。
【００２２】
ランプ９０は、例えば、光源回路９１と、接続検出回路９２と、接続部９３とを有する。
接続部９３は、照明器具１０と電気接続して、照明器具１０から供給される電力を入力する。接続部９３は、例えば、２つの口金ピン９３１，９３２を有する。
光源回路９１は、例えば複数の光源素子９１１を直列に電気接続した回路である。光源素子９１１は、例えばＬＥＤである。光源回路９１は、２つの口金ピン９３１，９３２の間に電気接続している。
接続検出回路９２は、ランプ９０が接続したことを照明器具１０が検出するための回路である。接続検出回路９２は、例えば接続検出抵抗９２１を有する。接続検出抵抗９２１は、２つの口金ピン９３１，９３２の間に、光源回路９１と並列に電気接続している。
【００２３】
照明器具１０は、例えば、電源回路１５と、点灯装置１６と、接続部１７とを有する。
接続部１７は、ランプ９０の接続部９３と電気接続して、ランプ９０に対して供給する電力を出力する。接続部１７は、例えば、２つの給電端子１７１，１７２を有する。
電源回路１５は、直流電力を出力する。例えば、電源回路１５は、商用電源などの外部電源から電力を入力し、入力した電力を直流電力に変換する。
点灯装置１６は、電源回路１５が出力した直流電力を、ランプ９０に対して供給する直流電力に変換する。例えば、点灯装置１６は、光源回路９１を流れる電流が所定の目標電流に一致するよう、ランプ９０に対して供給する電力を調整する。点灯装置１６は、例えば、直流直流変換回路６１と、制御回路６２と、電流検出抵抗６３と、保持検出回路６４と、接続検出回路６５とを有する。
【００２４】
直流直流変換回路６１は、点灯装置１６の主要部である。直流直流変換回路６１は、直流電力を電圧値の異なる直流電力に変換する。直流直流変換回路６１は、例えば、スイッチング素子６１１と、整流素子６１２と、チョークコイル６１３と、平滑コンデンサ６１４とを有するバックコンバータ回路である。スイッチング素子６１１は、例えばエンハンスメント型ｎＭＯＳＦＥＴである。
制御回路６２は、スイッチング素子６１１を高周波でオンオフすることにより、直流直流変換回路６１を動作させる。
電流検出抵抗６３は、点灯装置１６が出力する電流（光源回路９１を流れる電流）を検出するための回路である。制御回路６２は、電流検出抵抗６３の両端電圧に基づいて、点灯装置１６が出力する電流を検出する。
【００２５】
保持検出回路６４（検出部）は、スイッチ１４の状態を検出するための回路である。保持検出回路６４は、例えば、２つの分圧抵抗６４１，６４２と、スイッチ１４とを有する。２つの分圧抵抗６４１，６４２は、互いに直列に電気接続し、電源回路１５の出力に電気接続している。スイッチ１４は、分圧抵抗６４２と並列に電気接続している。制御回路６２は、分圧抵抗６４２の両端電圧に基づいて、スイッチ１４の状態を検出する。
ランプ保持部１３が保持状態であれば、スイッチ１４が導通する。スイッチ１４が導通すると、分圧抵抗６４２の両端電圧は、ほぼ０になる。また、スイッチ１４が導通していない場合、分圧抵抗６４２の両端電圧は、電源回路１５の出力電圧を、分圧抵抗６４１，６４２の分圧比で分圧した電圧になる。これにより、制御回路６２は、ランプ保持部１３が保持状態であるか解放状態であるかを検出する。
【００２６】
接続検出回路６５は、ランプ９０が電気的に接続しているか否かを検出するための回路である。接続検出回路６５は、例えば、２つの抵抗６５１，６５３と、整流素子６５２とを有する。
抵抗６５１と整流素子６５２とは、互いに直列に電気接続し、例えばスイッチング素子６１１と並列に電気接続している。抵抗６５３は、２つの給電端子１７１，１７２の間に、平滑コンデンサ６１４と並列に電気接続している。
制御回路６２がスイッチング素子６１１を継続してオフにし、直流直流変換回路６１の動作を停止している状態であっても、スイッチング素子６１１と並列に抵抗６５１及び整流素子６５２が電気接続されているので、抵抗６５１及び整流素子６５２を通って流れる電流が存在する。この電流は、チョークコイル６１３、抵抗６５３、電流検出抵抗６３を経由して流れる。ランプ９０が接続していない場合、電源回路１５の出力電圧を、抵抗６５１と抵抗６５３と電流検出抵抗６３との合成抵抗値で割った電流が流れる。ランプ９０が接続している場合、接続検出抵抗９２１が抵抗６５３と並列に電気接続されるので、合成抵抗値が小さくなり、流れる電流が大きくなる。制御回路６２は、電流検出抵抗６３の両端電圧に基づいてこの電流を検出することにより、ランプ９０が接続されているか否かを検出する。
なお、抵抗６５１，６５３の値は、直流直流変換回路６１が動作を停止しているとき、抵抗６５３の両端電圧が、ランプ９０の点灯電圧より低くなるように設定する。また、抵抗６５１，６５３の値は、直流直流変換回路６１が動作を停止しているときに流れる電流が、ランプ９０を点灯しているとき光源回路９１を流れる電流よりも十分小さくなるように設定する。
【００２７】
図６は、この実施の形態における照明器具１０の動作を示すフロー図である。
【００２８】
点灯処理６２０において、照明器具１０は、接続されたランプ９０を点灯する。点灯処理６２０は、例えば、保持判定工程６２１と、接続判定工程６２２と、点灯工程６２３と、消灯工程６２４とを有する。
【００２９】
保持判定工程６２１において、制御回路６２は、ランプ保持部１３の状態を判定する。ランプ保持部１３が保持状態である場合、制御回路６２は、接続判定工程６２２へ処理を進める。ランプ保持部１３が解放状態である場合、制御回路６２は、消灯工程６２４へ処理を進める。
接続判定工程６２２において、制御回路６２は、ランプ９０が電気接続しているか否かを判定する。ランプ９０が電気接続している場合、制御回路６２は、点灯工程６２３へ処理を進める。ランプ９０が電気接続していない場合、制御回路６２は、消灯工程６２４へ処理を進める。
点灯工程６２３において、制御回路６２は、直流直流変換回路６１を動作させ、ランプ９０を点灯させる。制御回路６２は、保持判定工程６２１に処理を戻し、ランプ保持部１３の状態を判定する。
消灯工程６２４において、制御回路６２は、直流直流変換回路６１の動作を停止し、ランプ９０を消灯させる。制御回路６２は、保持判定工程６２１に処理を戻し、ランプ保持部１３の状態を判定する。
【００３０】
ランプ９０が接続されていない場合、ランプ保持部１３の状態にかかわらず、制御回路６２は、直流直流変換回路６１の動作を停止する。
ランプ９０を取り付けるには、ランプ保持部１３を解放状態にする必要がある。このため、制御回路６２は、直流直流変換回路６１の動作を停止する。接続部９３と接続部１７とが接触して電気接続しても、ランプ保持部１３が解放状態にある限り、制御回路６２は、直流直流変換回路６１の動作を停止したままである。ランプ９０が接続され、ランプ保持部１３が保持状態になったのち、制御回路６２は、直流直流変換回路６１を動作させる。
【００３１】
ランプ９０を取り外すには、やはり、ランプ保持部１３を解放状態にする必要がある。ランプ保持部１３を保持状態にしたままでも、ソケット１２の給電端子が動くので、ランプ９０を軸方向に動かすことはできる。しかし、給電端子には、口金ピンに押し当てる力が働いているので、ランプ９０と照明器具１０とは、電気接続した状態を保っている。
ランプ９０を取り外すため、ランプ保持部１３を解放状態にすると、制御回路６２は、直流直流変換回路６１の動作を停止する。したがって、接続部９３と接続部１７との電気接続が解除されるとき、直流直流変換回路６１は確実に動作を停止している。
【００３２】
このように、ランプ９０を照明器具１０に電気接続するとき、及び、ランプ９０と照明器具１０との電気接続を解除するときに、直流直流変換回路６１が動作を停止しているので、ランプ９０の取り付け・取り外し作業の安全を確保することができる。また、ランプ９０に過電圧が印加されて、ランプ９０や点灯装置１６が故障したり、寿命が短縮したりするのを防ぐことができる。
【００３３】
比較のため、直流直流変換回路６１が動作している状態で、ランプ９０と照明器具１０との電気接続を解除する場合を考える。
その場合、光源回路９１を流れる電流がなくなるので、制御回路６２は、点灯装置１６が出力する電流を目標電流に一致させるため、点灯装置１６の出力電圧を高くする。その後、制御回路６２は、何らかの手段によりランプ９０が外されたことを検出し、光源回路９１の動作を停止させる。
このため、ランプ９０と照明器具１０との電気接続が解除された直後は、点灯装置１６の出力電圧が点灯時よりも高くなる場合がある。その状態で、ランプ９０が再接続されると、点灯時よりも高い電圧がランプ９０に印加される。
【００３４】
これに対し、この実施の形態における照明器具１０では、直流直流変換回路６１の動作を停止してから、ランプ９０と照明器具１０との電気接続を解除するので、点灯装置１６の出力電圧が点灯時より高くなることはない。したがって、すぐにランプ９０が再接続された場合でも、ランプ９０に過電圧が印加されるのを防ぐことができる。
【００３５】
なお、摺動部３１の胴部３１１は、ランプ９０が放射する光を遮らないようにするため、例えば樹脂などの透明材料によって形成してもよい。あるいは、ランプ保持部１３は、例えば金属などで形成した線状あるいは網状であってもよい。
【００３６】
実施の形態２．
実施の形態２について、図７を用いて説明する。
なお、実施の形態１と共通する部分については、同一の符号を付し、説明を省略する。
【００３７】
この実施の形態における照明器具１０の外観は、実施の形態１と同様である。
【００３８】
図７は、この実施の形態におけるランプ保持部１３の構造を示す側面視断面図である。
【００３９】
反射面１１７は、本体１１（器具構造体）のランプ９０（光源装置）側の面である。なお、本体１１のランプ９０側の面は、反射面１１７でなくてもよい。支持部１３３は、ランプ保持部１３を本体１１に装着し保持する。作動部１３１は、スイッチ１４のオンオフを行う。支持部１３３及び作動部１３１は、ランプ９０が本体１１に装着されているとき、スイッチ１４を押し下げるように固定保持される。
スイッチ１４（存在検知スイッチ）は、例えば、マイクロスイッチである。マイクロスイッチは、例えばアクチュエータと、内蔵スイッチとを有する。アクチュエータを押し下げることにより、内蔵スイッチがオンになる。アクチュエータを解除することにより、内蔵スイッチがオフになる。
【００４０】
実施の形態１と同様、スイッチ１４がオフの場合、制御回路６２は、直流直流変換回路６１の動作を停止する。スイッチ１４がオンであり、かつ、ランプ９０が電気接続していることを接続検出回路６５が検出した場合のみ、制御回路６２は、直流直流変換回路６１を動作させる。
【００４１】
これにより、ランプ９０（光源装置）を外した時に、直流直流変換回路６１（光源点灯装置）の出力電圧が不要に上昇し、再装着時にランプ９０や直流直流変換回路６１に電気的ストレスが加わるのを防止することができる。
ランプ９０を直流直流変換回路６１から電気的に外すに際し、事前に、直流直流変換回路６１からランプ９０への電力供給を停止しておくことにより、安全にランプ９０を着脱することができる。
【００４２】
実施の形態３．
実施の形態３について、図８〜図１３を用いて説明する。
なお、実施の形態１または実施の形態２と共通する部分については、同一の符号を付し、説明を省略する。
【００４３】
図８は、この実施の形態におけるランプ９０の構造を示す正視図である。
【００４４】
ランプ９０は、例えば日本工業規格（ＪＩＳ）Ｃ７７０９−１に規定されたＧＸ１６ｔ−５型の口金を有する。ランプ９０は、例えば、発光部９４と、２つの口金部９５，９６とを有する。なお、発光部９４は、長尺形状であるため、中間部分を省略している。
発光部９４は、例えば略円柱形状である。発光部９４は、例えば、透明もしくは半透明のカバーと、その内側に配置された複数の光源素子９１１（図示せず）とを有する。
口金部９５は、電力を入力する側の口金である。口金部９５は、例えば、端面部９５１と、凸部９５２と、２つの口金ピン９３１，９３２とを有する。端面部９５１は、例えば円形である。凸部９５２は、端面部９５１の直径に沿ってランプ９０の長手方向に突出している。口金ピン９３１，９３２は、凸部９５２から更にランプ９０の長手方向に突出していて、先端が外側へ向けて曲がっている。
口金部９６は、口金部９５と反対側の口金である。口金部９６は、例えば、端面部９６１と、軸部９６６と、先端部９６７とを有する。端面部９６１は、例えば円形である。軸部９６６は、端面部９６１の略中心からランプ９０の長手方向に突出している。軸部９６６は、例えば円柱状である。先端部９６７は、軸部９６６の先端に設けられている。先端部９６７は、例えば長円板状である。
【００４５】
図９は、この実施の形態におけるソケット１２の構造を示す正視図である。
【００４６】
この図に示したソケット１２は、照明器具１０の２つのソケット１２のうち、ランプ９０の口金部９５と係合する側のソケット１２である。ソケット１２は、例えば、ソケット本体２１と、回転部２４と、ランプ保持部１３とを有する。ソケット本体２１は、本体１１に固定される。回転部２４は、ソケット本体２１のなかに配置されている。回転部２４は、ランプ９０の口金部９５と係合して、ランプ９０とともに、ランプ９０の軸を中心として回転する。ランプ保持部１３は、保持状態において回転部２４の回転を制限することにより、ランプ９０の回転を制限する。
【００４７】
図１０は、この実施の形態における回転部２４の構造を示す正視図である。
【００４８】
回転部２４は、例えば、円板部２４１と、２つの凸部２５１，２５２と、２つの係止突起２６１，２６２とを有する。
円板部２４１は、例えば、略円板状である。円板部２４１は、２つのピン挿通穴２４２，２４３を有する。ピン挿通穴２４２，２４３は、ランプ９０の口金ピン９３１，９３２を挿通するための貫通穴である。
凸部２５１，２５２は、円板部２４１の表側（ランプ９０の端面部９５１や凸部９５２と当接する側）の面に設けられた略半円板状の突起である。２つの凸部２５１，２５２の間に、ランプ９０の凸部９５２が係合する。
係止突起２６１，２６２は、円板部２４１の裏側の面に設けられた突起である。係止突起２６１，係止突起２６２は、ランプ保持部１３と当接することにより、回転部２４の回転を制限する。
【００４９】
図１１は、この実施の形態におけるソケット本体２１の構造を示す正視図及び断面図である。
【００５０】
ソケット本体２１は、例えば、外面部２１１と、内面部２１２と、２つの側面部２１３，２１４と、下面部２１５と、円筒部２２１と、支持部２２３と、２つの当接部２２４，２２５と、２つの給電端子１７１，１７２とを有する。
外面部２１１は、ソケット本体２１の外側（ランプ９０と反対側）の面である。外面部２１１は、例えば半円と長方形とを結合した形状の板状である。
内面部２１２は、ソケット本体２１の内側（ランプ９０の側）の面である。内面部２１２は、外面部２１１と略平行である。内面部２１２は、例えば外面部２１１と同様の形状であるが、中央に略円形の開口を有し、下側が切れている。
側面部２１３，２１４、下面部２１５及び円筒部２２１は、外面部２１１及び内面部２１２に対して略垂直である。側面部２１３は、例えば長方形板状であり、外面部２１１の右端と内面部２１２の左端とを接続している。側面部２１４は、例えば長方形板状であり、外面部２１１の左端と内面部２１２の右端とを接続している。下面部２１５は、例えば半円筒板状であり、外面部２１１の下端と内面部２１２の下端とを接続している。下面部２１５は、貫通穴２１６を有する。円筒部２２１は、例えば半円筒板状であり、下面部２１５と連続して、全体として円筒をなす。円筒部２２１は、切欠部２２２を有する。
支持部２２３及び当接部２２４，２２５は、外面部２１１の内側に設けれられている。支持部２２３は、ランプ保持部１３を上下方向にスライド可能に支持する。当接部２２４，２２５は、回転部２４の係止突起２６１，２６２と当接して、回転部２４の回転を制限する。
【００５１】
図１２は、この実施の形態におけるランプ保持部１３の構造を示す正視図である。
【００５２】
ランプ保持部１３は、例えば、２つの係止部３３，３４と、軸部３５と、操作部３６とを有する。係止部３３は、例えば直方体の一部を切り欠いてテーパー部３３１を形成した略五角柱状である。係止部３３のテーパー部３３１と反対の側には、スイッチ１４が設けられている。
スイッチ１４は、上下に移動可能である。スイッチ１４は、下側が定常位置であり、何らかの力を加えることにより、上側に倒すと、導通状態になる。
係止部３４は、例えば直方体の一部を切り欠いたテーパー部３４１を形成した略五角柱状である。テーパー部３４１は、係止部３３のテーパー部３３１とは反対側、スイッチ１４と同じ側に設けられている。
軸部３５は、例えば略四角柱状であり、係止部３３と係止部３４との間を接続している。操作部３６は、係止部３４から下側に、軸部３５の延長として延びている。操作部３６の先端は、下面部２１５の貫通穴２１６から、ソケット本体２１の外に突出する。
【００５３】
図１３は、この実施の形態におけるソケット１２の動きを示す図である。
【００５４】
なお、細部の符号は、省略したので、図８〜図１２を参照のこと。
【００５５】
ソケット１２にランプ９０を接続するには、まず、回転部２４を、ピン挿通穴２４２，２４３が略垂直に並ぶ向きにしておく。図示していない反対側のソケット１２に、口金部９６を係合させてから、ピン挿通穴２４２，２４３に、口金ピン９３１，９３２を挿入する。これにより、口金部９５と回転部２４とが係合し、ランプ９０の軸方向を中心としてランプ９０を回転させると、回転部２４と一体となって回転する。
係止突起２６１が係止部３３のテーパー部３３１に当接し、係止突起２６２が係止部３４のテーパー部３４１に当接して、ランプ保持部１３を上方向に移動させる。
回転部２４が約９０度回転すると、口金ピン９３１，９３２は、給電端子１７１，１７２と係合して、電気接続する。係止突起２６１，２６２が係止部３３，３４の下を通り抜けると、ランプ保持部１３は、重力により下方向へ移動する。スイッチ１４が、係止突起２６１に当接することにより、上側に倒れ、スイッチ１４は、導通状態になる。
【００５６】
このように、口金ピン９３１，９３２と、給電端子１７１，１７２とが電気接続したのちに、スイッチ１４が導通状態になる。実施の形態１と同様、制御回路６２は、スイッチ１４が導通状態にならなければ、直流直流変換回路６１を動作させないので、口金ピン９３１，９３２と、給電端子１７１，１７２とが電気接続する前に、直流直流変換回路６１が動作を開始することはない。
【００５７】
ソケット１２からランプ９０を取り外すには、まず、操作部３６を押すことにより、ランプ保持部１３を上方向に移動させる。スイッチ１４が非導通状態になり、制御回路６２は、直流直流変換回路６１の動作を停止させる。その後、回転部２４を取付け時とは逆方向へ約９０度回転させ、取付け時と逆の手順で、ランプ９０を取り外す。
【００５８】
口金ピン９３１，９３２と給電端子１７１，１７２との電気接続が解除される前に、直流直流変換回路６１が動作を停止するので、直流直流変換回路６１の出力電圧が点灯時より高くなるのを防ぐことができる。
【００５９】
実施の形態４．
実施の形態４について、図１４〜図１５を用いて説明する。
なお、実施の形態１〜実施の形態３と共通する部分については、同一の符号を付し、説明を省略する。
【００６０】
この実施の形態におけるランプ９０は、実施の形態３と同様、ソケット１２と係合させたのち、回転させることにより、直流直流変換回路６１と電気的に接続する構造を有する。
【００６１】
図１４は、この実施の形態におけるソケット１２及びランプ保持部１３の構造を示す正視断面図である。
【００６２】
ソケット１２は、ランプ９０の口金ピン９３１，９３２を、この図に示した位置に挿入し、ランプ９０の軸方向を中心として、ランプ９０を約９０度回転させることにより、口金ピン９３１，９３２と、給電端子１７１，１７２とが電気的に接続する構造を有する。
ランプ保持部１３は、ランプ９０の軸方向へ移動可能に設けられている。ランプ保持部１３は、作動部１３１と、係止部１３２とを有する。作動部１３１は、スイッチ１４のオンオフを行う。係止部１３２は、ランプ９０の回転を制限する。
【００６３】
図１５は、この実施の形態におけるソケット１２及びランプ保持部１３の構造を示す正視断面図である。
【００６４】
ランプ９０を回転して、口金ピン９３１，９３２と、給電端子１７１，１７２とが電気的に接続したのち、ランプ保持部１３を押し込むと、係止部１３２がソケット１２の内部に突き出して、ランプ９０の回転を阻止する。また、作動部１３１がスイッチ１４を押し、スイッチ１４がオンになる。
【００６５】
実施の形態１と同様、スイッチ１４がオフの場合、制御回路６２は、直流直流変換回路６１の動作を停止する。スイッチ１４がオンであり、かつ、ランプ９０が電気接続していることを接続検出回路６５が検出した場合のみ、制御回路６２は、直流直流変換回路６１を動作させる。
【００６６】
ランプ９０を外す場合、まず、ランプ保持部１３を引き戻して、図１４の位置にする。これにより、スイッチ１４がオフになる。ランプ９０を回転できるようになるので、ランプ９０を回転させると、口金ピン９３１，９３２と、給電端子１７１，１７２との電気接続が解除される。
【００６７】
これにより、ランプ９０（光源装置）を外した時に、直流直流変換回路６１（光源点灯装置）の出力電圧が不要に上昇し、再装着時にランプ９０や直流直流変換回路６１に電気的ストレスが加わるのを防止することができる。
ランプ９０を直流直流変換回路６１から電気的に外すに際し、事前に、直流直流変換回路６１からランプ９０への電力供給を停止しておくことにより、安全にランプ９０を着脱することができる。
【００６８】
以上、各実施の形態で説明した構成は、一例であり、他の構成であってもよい。例えば、異なる実施の形態で説明した構成を組み合わせた構成であってもよいし、本質的でない部分の構成を、他の構成で置き換えた構成であってもよい。
【００６９】
照明器具１０は、直流直流変換回路６１（ＬＥＤ電流供給装置）と、ランプ保持部１３（光源検知部）と、接続検出回路６５（接続判別部）とを有する。点灯装置１６は、ＬＥＤなどを使用したランプ９０（光源）に対して電流を供給する。ランプ保持部１３は、ランプ９０の存在の有無を物理的に検知する。接続検出回路６５は、ランプ９０が接続されているか否かを電気的に判別する。ランプ９０を取り外すためには、ランプ保持部１３を解除する必要がある。ランプ保持部１３が解除された状態では、点灯装置１６は、ランプ９０の接続状態に関わらず、ランプ９０への給電を停止する。また、ランプ９０を外した状態では、負荷がないことを接続検出回路６５が判別し、点灯装置１６は、ランプ保持部１３の状態に関わらず、ランプ９０への給電を停止する。ランプ保持部１３が作動状態であり、かつ、負荷があると接続検出回路６５が判定した場合のみ、点灯装置１６は、ランプ９０の点灯動作を行う。
【００７０】
例えば、ランプ９０が点灯しているときに、ランプ保持部１３を解除すると、点灯装置１６は、ランプ９０への電流の供給を停止するので、ランプ９０は消灯状態になる。ランプ９０が既に消灯状態になったのち、実際にランプ９０が外される。
逆に、ランプ９０を取り付ける場合、まず、ランプ９０を装着する。ランプ保持部１３が解除されたままであれば、点灯装置１６は、電流を供給せず、ランプ９０は、消灯状態を維持する。次に、ランプ保持部１３を作動させると、点灯装置１６がランプ９０へ電流を供給し、ランプ９０が点灯する。
【００７１】
このように、接続検出回路６５がランプ９０の取り外しを電気的に検知するのに先立って、ランプ９０への電流供給を停止することにより、ランプ９０や点灯装置１６に対して、ランプ９０の着脱による過大電流などによるストレスを与えるのを防止することができる。
【００７２】
以上のように、点灯装置１６は、ランプ保持部１３が保持状態でなれば、動作しない。ランプ保持部１３は、点灯装置１６とランプ９０とが電気接続した状態でなければ保持状態にすることができない構造を有する。したがって、点灯装置１６は、ランプ９０が電気接続された状態でなければ動作しない。
また、ランプ保持部１３は、解放状態にしない限り、点灯装置１６とランプ９０との電気接続を解除することができない構造を有する。点灯装置１６は、ランプ保持部１３が解放状態になると動作を停止する。したがって、点灯装置１６とランプ９０との電気接続が解除されるときには、点灯装置１６の動作は、確実に停止している。
【符号の説明】
【００７３】
１０  照明器具、１１  本体、１１２〜１１４，３２２，３２３  スリット、１１７  反射面、１２  ソケット、１３  ランプ保持部、１３１  作動部、１３２，３２，３３，３４  係止部、１３３，２２３  支持部、１４  スイッチ、１５  電源回路、１６  点灯装置、１７，９３  接続部、１７１，１７２  給電端子、２１  ソケット本体、２１１  外面部、２１２  内面部、２１３，２１４  側面部、２１５  下面部、２１６  貫通穴、２２１  円筒部、２２２  切欠部、２２４，２２５  当接部、２４  回転部、２４１  円板部、２４２，２４３  ピン挿通穴、２５１，２５２，９５２  凸部、２６１，２６２  係止突起、３１  摺動部、３１１  胴部、３１２，３１３  腕部、３１４，３１５  抜止部、３１６，３１７  肩部、３２１  係止板部、３２４，３６  操作部、３２８  矢印、３３１  テーパー部、３４１  テーパー部、３５，９６６  軸部、４１  スイッチ本体、４２  押しボタン、６１  直流直流変換回路、６１１  スイッチング素子、６１２，６５２  整流素子、６１３  チョークコイル、６１４  平滑コンデンサ、６２  制御回路、６２０  点灯処理、６２１  保持判定工程、６２２  接続判定工程、６２３  点灯工程、６２４  消灯工程、６３  電流検出抵抗、６４  保持検出回路、６４１，６４２  分圧抵抗、６５，９２  接続検出回路、６５１，６５３  抵抗、９０  ランプ、９１  光源回路、９１１  光源素子、９２１  接続検出抵抗、９３１，９３２  口金ピン、９４  発光部、９５，９６  口金部、９５１，９６１  端面部、９６７  先端部。
【図１】
2013247032.tif 000003
【図２】
2013247032.tif 000004
【図３】
2013247032.tif 000005
【図４】
2013247032.tif 000006
【図５】
2013247032.tif 000007
【図６】
2013247032.tif 000008
【図７】
2013247032.tif 000009
【図８】
2013247032.tif 000010
【図９】
2013247032.tif 000011
【図１０】
2013247032.tif 000012
【図１１】
2013247032.tif 000013
【図１２】
2013247032.tif 000014
【図１３】
2013247032.tif 000015
【図１４】
2013247032.tif 000016
【図１５】
2013247032.tif 000017